【手続補正書】
【提出日】平成27年11月25日(2015.11.25)
【手続補正１】
【補正対象書類名】特許請求の範囲
【補正対象項目名】全文
【補正方法】変更
【補正の内容】
【特許請求の範囲】
【請求項１】
顔料と、
重合性化合物と、
下記一般式（Ａ）で表される構造単位、下記一般式（Ｂ）で表される構造単位、数平均分子量が３００以上５，０００未満のポリアルキレンオキシドに由来する下記一般式（Ｃ）で表される構造単位、下記一般式（Ｄ）で表される構造単位、及び下記一般式（Ｅ）で表される構造単位を有し、かつ、前記一般式（Ｂ）で表される構造単位と前記一般式（Ｃ）で表される構造単位との質量比［（Ｂ）／（Ｃ）］が、２０／８０〜６０／４０である化合物と、を含有する顔料分散組成物。
【化１】
2015067795.tif 000001
〔式中、Ｌ１ａ及びＬ１ｂは、各々独立に、−Ｏ−又は−ＮＲ−を表し、Ｒは、水素原子又は炭素数１〜４のアルキル基を表す。Ｘは、３級アミノ基又はカルボキシ基を表す。Ｙ１は、３価の連結基を表す。〕
【化２】
2015067795.tif 000002
〔式中、Ｌ２ａ及びＬ２ｂは、各々独立に、−Ｏ−又は−ＮＨ−を表す。Ｑは、ガラス転移温度が５０℃以上のポリ（メタ）アクリレートに由来する基を表す。Ｙ２は、３価の連結基を表し、Ｚは、Ｙ２及びＱと結合する２価の連結基を表す。〕
【化３】
2015067795.tif 000003
〔式中、Ｒａは、炭素数２〜４の直鎖又は分岐のアルキレン基を表し、ｎは、アルキレンオキサイドの平均付加モル数であって、６〜１１５の数を表す。〕
【化４】
2015067795.tif 000004
〔式中、Ｒｂは、炭素数６〜１５のアルキレン基、アリーレン基、アリーレン基とアリーレン基とが結合した２価の連結基、又は炭素数６〜１５のアルキレン基とアリーレン基とが結合した２価の連結基を表す。〕
【化５】
2015067795.tif 000005
〔式中、Ｌ３ａ及びＬ３ｂは、各々独立に、−Ｏ−又は−ＮＲ−を表し、Ｒは、水素原子又は炭素数１〜４のアルキル基を表す。Ｙ３は、Ｌ３ａ及びＬ３ｂと結合する２価の多環芳香族炭化水素基を表す。〕
【請求項２】
前記一般式（Ａ）で表される構造単位の割合が、前記化合物の全構成単位の総質量に対して、２質量％〜２０質量％である請求項１に記載の顔料分散組成物。
【請求項３】
有機溶剤の含有量が、顔料分散組成物の全質量に対して３質量％以下である請求項１又は請求項２に記載の顔料分散組成物。
【請求項４】
前記重合性化合物中における単官能モノマーの含有率が、８０質量％〜１００質量％である請求項１〜請求項３のいずれか１項に記載の顔料分散組成物。
【請求項５】
重合開始剤を更に含有する請求項１〜請求項４のいずれか１項に記載の顔料分散組成物。
【請求項６】
インクとして用いられる請求項１〜請求項５のいずれか１項に記載の顔料分散組成物。
【請求項７】
２５℃における粘度が、３ｍＰａ・ｓ〜５０ｍＰａ・ｓである請求項６に記載の顔料分散組成物。
【請求項８】
インクジェット記録用インクとして用いられる請求項７に記載の顔料分散組成物。
【請求項９】
請求項６〜請求項８のいずれか１項に記載の顔料分散組成物を用いたインクジェット記録方法。
【請求項１０】
下記一般式（Ｂ）で表される構造単位を有するポリ（メタ）アクリレートを、数平均分子量が３００以上５，０００未満の下記一般式（Ｃ）で表される構造単位を有するポリアルキレンオキシド中で合成し、ポリ（メタ）アクリレートのポリアルキレンオキシド溶液を得る工程と、
前記工程で得られたポリ（メタ）アクリレートのポリアルキレンオキシド溶液と、下記一般式（Ａ）で表される構造単位を有する化合物と、下記一般式（Ｄ）で表される構造単位を有する化合物と、下記一般式（Ｅ）で表される構造単位を有する多環芳香族化合物と、ラジカル重合性化合物と、を混合して反応させる工程と、
を含み、
前記一般式（Ｂ）で表される構造単位を有するポリ（メタ）アクリレートと、前記一般式（Ｃ）で表される構造単位を有するポリアルキレンオキシドと、の質量比［（Ｂ）／（Ｃ）］が２０／８０〜６０／４０であり、かつ、前記一般式（Ａ）で表される構造単位を有する化合物、前記一般式（Ｂ）で表される構造単位を有するポリ（メタ）アクリレート、前記一般式（Ｃ）で表される構造単位を有するポリアルキレンオキシド、及び前記一般式（Ｅ）で表される構造単位を有する多環芳香族化合物の合計モル数を、前記一般式（Ｄ）で表される構造単位を有する化合物のモル数で割った商が１．０〜１．２５である、化合物の製造方法。
【化６】
2015067795.tif 000006
〔式中、Ｌ１ａ及びＬ１ｂは、各々独立に、−Ｏ−又は−ＮＲ−を表し、Ｒは、水素原子又は炭素数１〜４のアルキル基を表す。Ｘは、３級アミノ基又はカルボキシ基を表す。Ｙ１は、３価の連結基を表す。〕
【化７】
2015067795.tif 000007
〔式中、Ｌ２ａ及びＬ２ｂは、各々独立に、−Ｏ−又は−ＮＨ−を表す。Ｑは、ガラス転移温度が５０℃以上のポリ（メタ）アクリレートに由来する基を表す。Ｙ２は、３価の連結基を表し、Ｚは、Ｙ２及びＱと結合する２価の連結基を表す。〕
【化８】
2015067795.tif 000008
〔式中、Ｒａは、炭素数２〜４の直鎖又は分岐のアルキレン基を表し、ｎは、アルキレンオキサイドの平均付加モル数であって、６〜１１５の数を表す。〕
【化９】
2015067795.tif 000009
〔式中、Ｒｂは、炭素数６〜１５のアルキレン基、アリーレン基、アリーレン基とアリーレン基とが結合した２価の連結基、又はアルキレン基とアリーレン基とが結合した２価の連結基を表す。〕
【化１０】
2015067795.tif 000010
〔式中、Ｌ３ａ及びＬ３ｂは、各々独立に、−Ｏ−又は−ＮＲ−を表し、Ｒは、水素原子又は炭素数１〜４のアルキル基を表す。Ｙ３は、Ｌ３ａ及びＬ３ｂと結合する２価の多環芳香族炭化水素基を表す。〕
【手続補正２】
【補正対象書類名】明細書
【補正対象項目名】００１２
【補正方法】変更
【補正の内容】
【００１２】
上記した課題を解決するための具体的な手段は、以下の通りである。
＜１＞  顔料と、重合性化合物と、下記一般式（Ａ）で表される構造単位、下記一般式（Ｂ）で表される構造単位、数平均分子量が３００以上５，０００未満のポリアルキレンオキシドに由来する下記一般式（Ｃ）で表される構造単位、下記一般式（Ｄ）で表される構造単位、及び下記一般式（Ｅ）で表される構造単位を有し、かつ、一般式（Ｂ）で表される構造単位と上記の一般式（Ｃ）で表される構造単位との質量比［（Ｂ）／（Ｃ）］が、２０／８０〜６０／４０である化合物と、を含有する顔料分散組成物である。
【手続補正３】
【補正対象書類名】明細書
【補正対象項目名】００２１
【補正方法】削除
【補正の内容】
【手続補正４】
【補正対象書類名】明細書
【補正対象項目名】００２４
【補正方法】変更
【補正の内容】
【００２４】
＜２＞  一般式（Ａ）で表される構造単位の割合が、化合物の全構成単位の総質量に対して、２質量％〜２０質量％である＜１＞に記載の顔料分散組成物である。
【手続補正５】
【補正対象書類名】明細書
【補正対象項目名】００２５
【補正方法】変更
【補正の内容】
【００２５】
＜３＞  有機溶剤の含有量が、顔料分散組成物の全質量に対して３質量％以下である＜１＞又は＜２＞に記載の顔料分散組成物である。
【手続補正６】
【補正対象書類名】明細書
【補正対象項目名】００２６
【補正方法】変更
【補正の内容】
【００２６】
＜４＞  重合性化合物中における単官能モノマーの含有率が、８０質量％〜１００質量％である＜１＞〜＜３＞のいずれか１つに記載の顔料分散組成物である。
【手続補正７】
【補正対象書類名】明細書
【補正対象項目名】００２７
【補正方法】変更
【補正の内容】
【００２７】
＜５＞  重合開始剤を更に含有する＜１＞〜＜４＞のいずれか１つに記載の顔料分散組成物である。
【手続補正８】
【補正対象書類名】明細書
【補正対象項目名】００２８
【補正方法】変更
【補正の内容】
【００２８】
＜６＞  インクとして用いられる＜１＞〜＜５＞のいずれか１つに記載の顔料分散組成物である。
【手続補正９】
【補正対象書類名】明細書
【補正対象項目名】００２９
【補正方法】変更
【補正の内容】
【００２９】
＜７＞  ２５℃における粘度が、３ｍＰａ・ｓ〜５０ｍＰａ・ｓである＜６＞に記載の顔料分散組成物である。
【手続補正１０】
【補正対象書類名】明細書
【補正対象項目名】００３０
【補正方法】変更
【補正の内容】
【００３０】
＜８＞  インクジェット記録用インクとして用いられる＜７＞に記載の顔料分散組成物である。
【手続補正１１】
【補正対象書類名】明細書
【補正対象項目名】００３１
【補正方法】変更
【補正の内容】
【００３１】
＜９＞  ＜６＞〜＜８＞のいずれか１つに記載の顔料分散組成物を用いたインクジェット記録方法である。
【手続補正１２】
【補正対象書類名】明細書
【補正対象項目名】００３２
【補正方法】変更
【補正の内容】
【００３２】
＜１０＞  下記一般式（Ｂ）で表される構造単位を有するポリ（メタ）アクリレートを、数平均分子量が３００以上５，０００未満の下記一般式（Ｃ）で表される構造単位を有するポリアルキレンオキシド中で合成し、ポリ（メタ）アクリレートのポリアルキレンオキシド溶液を得る工程と、
上記の工程で得られたポリ（メタ）アクリレートのポリアルキレンオキシド溶液と、下記一般式（Ａ）で表される構造単位を有する化合物と、下記一般式（Ｄ）で表される構造単位を有する化合物と、下記一般式（Ｅ）で表される構造単位を有する多環芳香族化合物と、ラジカル重合性化合物と、を混合して反応させる工程と、
を含み、一般式（Ｂ）で表される構造単位を有するポリ（メタ）アクリレートと、上記の一般式（Ｃ）で表される構造単位を有するポリアルキレンオキシドと、の質量比［（Ｂ）／（Ｃ）］が２０／８０〜６０／４０であり、かつ、一般式（Ａ）で表される構造単位を有する化合物、一般式（Ｂ）で表される構造単位を有するポリ（メタ）アクリレート、上記の一般式（Ｃ）で表される構造単位を有するポリアルキレンオキシド、及び上記一般式（Ｅ）で表される構造単位を有する多環芳香族化合物の合計モル数を、一般式（Ｄ）で表される構造単位を有する化合物のモル数で割った商が１．０〜１．２５である、化合物の製造方法である。
【手続補正１３】
【補正対象書類名】明細書
【補正対象項目名】００３９
【補正方法】変更
【補正の内容】
【００３９】
【化９】
2015067795.tif 000011
式中、Ｒｂは、炭素数６〜１５のアルキレン基、アリーレン基、アリーレン基とアリーレン基とが結合した２価の連結基、又はアルキレン基とアリーレン基とが結合した２価の連結基を表す。
【手続補正１４】
【補正対象書類名】明細書
【補正対象項目名】００４０
【補正方法】変更
【補正の内容】
【００４０】
【化１０】
2015067795.tif 000012
式中、Ｌ３ａ及びＬ３ｂは、各々独立に、−Ｏ−又は−ＮＲ−を表し、Ｒは、水素原子又は炭素数１〜４のアルキル基を表す。Ｙ３は、Ｌ３ａ及びＬ３ｂと結合する２価の多環芳香族炭化水素基を表す。
【手続補正１５】
【補正対象書類名】明細書
【補正対象項目名】０１７７
【補正方法】変更
【補正の内容】
【０１７７】
以下、本発明を実施例により更に具体的に説明するが、本発明はその主旨を越えない限り、以下の実施例に限定されるものではない。
なお、特定重合体１〜３及び５〜８は、本発明の参考重合体である。また、実施例１〜３及び５〜１０は、本発明の参考例である。